(57)【特許請求の範囲】
【請求項１】
着座部分に対して背もたれを調節する座席のための調節及び固定装置であって、着座部分に固定金具部分（１１）が配置されており、この固定金具部分（１１）が、調節運動を伝達する調節可能な背もたれ用金具部分（１２）に、これら金具部分（１１，１２）の相対位置を決めかつ偏心区間（１４）によって駆動可能な伝動装置を介して結合され、伝動装置が、一方の金具部分（１１）に属する平歯車（１５）、及び他方の金具部分（１２）に属しかつ平歯車（１５）にかみ合う内歯車（１７）から形成されており、平歯車（１５）及び内歯車（１７）がそれぞれ外側歯部（１６）及び内側歯部（１８）を持ち、偏心区間（１４）が、調節可能な金具部分（１２）からスリーブ状に突出したカラー（１９）の支持個所を一部の範囲で包囲しかつ互いに傾斜した２つのくさびセグメント（２４）によって形成され、これらのくさびセグメント（２４）が、固定金具部分（１１）のカラー（２６）の支持個所によって包囲され、両方のくさびセグメント（２４）の狭い側が、ブシュとして構成された連行体（２０）のアーム（２２）の作用を受けることができ、両方のくさびセグメント（２４）の広い側（４１）の間に、半径方向遊びを減少するためこれらの広い側を互いに押し離す力蓄積器（２７）がはまっているものにおいて、
くさびセグメント（２４）と連行体（２０）との間の半径方向平面内に、係止リング（３１）が配置されており、
この係止リング（３１）が、その外周に、固定金具部分（１１）の対向歯部（３０）にはまることができる少なくとも１つの係止フック（３２）を有し、
この係止フック（３２）は、ばね部材（３５）によって、対向歯部（３０）へはまった状態に保持されているが、連行体（２０）のストッパ（３４）によってその回転運動の際に、対向歯部（３０）から外れるように制御可能であり、
このばね部材（３５）が係止リング（３１）の一部であり、固定金具部分（１１）のカラー（２６）の支持個所に支持されている
ことを特徴とする、調節及び固定装置。
【請求項２】
係止リング（３１）が、その外周から突出しかつ互いに間隔を置いて配置された２つの係止フック（３２）を有し、これら係止フックが固定金具部分（１１）の対向歯部（３０）の歯溝に同時にはまるのに適した相互間隔を有することを特徴とする、請求項１に記載の調節及び固定装置。
【請求項３】
係止リング（３１）が、その板面からほぼ垂直に突出した２つの支持突起（３３）を有し、これら支持突起に、連行体（２０）のストッパ（３４）が接することを特徴とする、請求項１又は２に記載の調節及び固定装置。
【請求項４】
係止リング（３１）のばね部材（３５）が、互いに向き合った２つの板ばね脚（３６）から形成されており、これら板ばね脚のそれぞれが、反対側において、係止リング（３１）の周りに一体に結び付けられていることを特徴とする、請求項１ないし３の１つに記載の調節及び固定装置。
【請求項５】
固定金具部分（１１）のカラー（２６）の支持個所における板ばね脚（３６）の支持中心と、連行体（２０）のストッパ（３４）に接する係止リング（３１）の支持突起（３３）とが、仮想の２等辺三角形の隅点を形成していることを特徴とする、請求項１ないし４の１つに記載の調節及び固定装置。
【請求項６】
係止リング（３１）が、力蓄積器を形成するリングばね（２７）の、くさびセグメント（２４）の広い側に作用するばね脚（２８）を通すために切り欠き（３７）を有することを特徴とする、請求項１ないし５の１つに記載の調節及び固定装置。
【請求項７】
切り欠き（３７）が、鏡像的な窓として構成されており、これら窓の周方向に対して横向きに延びた境界壁（３８，３９）が、半径方向に対して傾斜して延びていることを特徴とする、請求項６に記載の調節及び固定装置。
【請求項８】
係止リング（３１）が、半径方向内方に突出した２つの支持突起（４０）を有し、これらの支持突起によりくさびセグメント（２４）が、その軸線方向位置に確保されていることを特徴とする、請求項１ないし７の１つに記載の調節及び固定装置。
【請求項９】
くさびセグメント（２４）が、その広い側（４１）に、リングばね（２７）のそれぞれのばね脚（２８）をそれぞれのくさびセグメント（２４）の長手方向の延長部に対してほぼ横向きの方向に密に囲むそれぞれ１つの切り欠き（４２）を有することを特徴とする、請求項１ないし８の１つに記載の調節及び固定装置。
【発明の詳細な説明】
【０００１】
【発明の属する技術分野】
本発明は、着座部分に対して背もたれを調節する座席のための調節及び固定装置であって、着座部分に固定金具部分が配置されており、この固定金具部分が、調節運動を伝達する調節可能な背もたれ用金具部分に、これら金具部分の相対位置を決めかつ偏心区間によって駆動可能な伝動装置を介して結合され、伝動装置が、一方の金具部分に属する平歯車、及び他方の金具に属しかつ平歯車にかみ合う内歯車から形成されており、平歯車及び内歯車がそれぞれ外側歯部及び内側歯部を持ち、偏心区間が、調節可能な金具部分からスリーブ状に突出したカラーの支持個所を一部の範囲で包囲しかつ互いに傾斜した２つのくさびセグメントによって形成され、これらのくさびセグメントが、固定金具部分のカラーの支持個所によって包囲され、両方のくさびセグメントの狭い側が、ブシュとして構成された連行体のアームの作用を受けることができ、両方のくさびセグメントの広い側の間に、半径方向遊びを減少するためこれらの広い側を互いに押し離す力蓄積器がはまっているものに関する。
【０００２】
【従来の技術】
ドイツ連邦共和国特許出願公開第４４３６１０１号明細書によれば、初めに述べたような座席のための調節及び固定装置が公知であり、ここでは連行体が、ここに一体に形成された連行体アームによって、偏心区間を形成するくさびセグメントの狭い側の間にはまり、これらくさびセグメントは、力蓄積器によってその広い側を互いに押し離され、それにより操作運動の際支持部及び歯部に生じる公差範囲への偏心区間の整合が行われ、したがって半径方向の遊びの減少を可能にする。公知のこの解決策において連行体の一体構成は、継手金具の製造及び取付けも簡単にする。この継手金具では、くさびセグメントの外周において不動作位置で行われる半径方向遊びの除去中に、偏心範囲にある継手部分の支持のために、支持区域が設けられ、これらの支持区域により特に製造公差を補償することができる。くさびセグメントの外周が異なる湾曲の範囲を持っているため、２つの異なる曲率の範囲が出合う点に、仮想円弧に対して突出部が生じることによって、これらの支持区域が形成される。くさびセグメントにある支持点により、不動作位置で、遊びのない背もたれ支持が行われる。急激に生じる静的荷重が背もたれに作用すると、設定された位置における摩擦結合のため支持が維持される。車両の使用中に地面の凹凸、振動、加速度及び制動減速のため、背もたれが動的負荷を受け、偏心範囲における自動拘束が十分でなく、背もたれが設定された位置から負荷方向へ少し動くことがある。ドイツ連邦共和国特許出願公開第３８１９３４６号明細書による解決策によれば、係止の場合における背もたれの確実な固定保持のために、継手金具の前にループばねブレーキを接続することが、すでに提案されている。しかしこのループばねブレーキは、追加構成部分をなし、この追加構成部分は、一方において構造空間を必要とし、他方において継手金具のかなりの価格上昇を引起こす。
【０００３】
【発明が解決しようとする課題】
本発明の課題は、車両の動的な動作条件において生じる問題を簡単な構造手段によって確実に防止できるように、初めに挙げたような調節及び固定装置を改善することにある。
【０００４】
【課題を解決するための手段】
本発明によれば、この課題は次のようにして解決される。即ちくさびセグメントと連行体との間の半径方向平面内に、係止リングが配置されており、この係止リングが、その外周に、固定金具部分の対向歯部にはまることができる少なくとも１つの係止フックを有し、この係止フックは、ばね部材によって、対向歯部へはまった状態に保持されているが、連行体のストッパによってその回転運動の際に、対向歯部から外れるように制御可能であり、このばね部材が係止リングの一部であり、固定金具部分のカラーの支持個所に支持されている。この係止リングは、簡単な構成部分であり、偏心区間によって駆動可能な伝動装置へ容易に統合され、それによりくさびセグメントは、係止状態中に、はまり合いにより動くのを阻止される。その際、連行体のカバーディスクにより保護される継手金具の範囲内で、係止リングの支持が行われる。
【０００５】
一方及び他方の回転方向に連行体へ操作運動を導入する際、係止リングの簡単な外し制御を行うため、また一方及び他方の回転方向に背もたれから生じる負荷を確実に吸収できるようにするため、係止リングが、その外周から突出しかつ互いに間隔を置いて配置された２つの係止フックを有すると有利であり、これら係止フックが、固定金具部分の対向歯部の歯溝に同時にはまるのに適した相互間隔を有する。一方及び他方の回転方向における連行体の操作運動が、確実に係止リング内に導入可能であるようにするため、この係止リングは、その板面からほぼ垂直に突出した２つの支持突起を有し、これらの支持突起に連行体のストッパが接する。
【０００６】
操作運動を中断した際係止リングを対向歯部へのはまり位置に戻す係止リングのばね部材が、互いに向き合った２つの板ばね脚から形成され、これら板ばね脚のそれぞれが、反対側において、係止リングの周りに一体に結び付けられ、固定金具部分の支持個所の外周に支持されている。その際、ばね支持個所と連行体ストッパの幾何学的構造は、次のように選定されている。即ち固定金具部分の支持個所における板ばね脚の支持中心と、連行体のストッパに接する係止リングの支持突起とが、仮想２等辺三角形の隅点を形成しているので、連行体に回転運動を導入した際に、係止フックが半径方向内方へ向くため、係止フックが固定継手部分の対向歯部から出るように、係止リングの揺動運動が行われる。
【０００７】
係止リングは、くさびセグメントの広い側に作用する力蓄積器としてのばねリングのばね脚を通すための切り欠きを有する。その際、係止リングにおける切り欠きは、鏡像的な窓として構成されていると有利であり、周方向に対して横向きに延びた境界壁が、半径方向に対し傾斜して延びており、それにより調節可能な金具部分の支持個所と固定金具部分の支持個所との間において調節運動の間にわずかに広がる三日月形の自由空間へ、回転方向において後続のくさびセグメントが侵入するのを阻止する。更に係止リングの窓状切り欠きは、連行体の調節運動の間に、係止リングが確実にその外し制御位置に留まるように設定されており、係止フックが間隔を置いて歯部の近くを通って回転することができ、かつ係止フックと歯部の間にがらがら騒音が生じないところまで、歯部から戻し揺動されている。
【０００８】
金具部分の支持個所の間でくさびセグメントを軸線方向に位置確保するために、係止リングは、半径方向内方に突出した２つの支持突起を有し、これらの支持突起によりくさびセグメントは、その軸線方向位置を確保されている。調節運動の際連行体アームに追従するくさびセグメントの所定の追従を保証するために、くさびセグメントは、その広い側に、リングばねのそれぞれのばね脚をそれぞれのくさびセグメントの長手方向範囲に対してほぼ横向きの方向に密に囲むそれぞれ１つの切り欠きを有する。
【０００９】
【発明の実施の形態】
本発明を実施例について図面に示し、かつ次に詳細に説明する。
【００１０】
図示しない着座部分を同様に図示しない背もたれに結合する継手金具１０は、着座部分に結合可能な固定金具部分１１、及び背もたれに結合可能でありかつ金具部分１１に対して揺動可能な金具部分１２を有する。金具部分１１及び１２は、偏心区間１４を含む操作部材１３によって互いに結合されており、この操作部材は、連体２０として、伝動装置として構成された調節及び固定装置の構成部分である。この調節及び固定装置に、例えば金具部分１１の圧印加工により形成された外側歯部１６を有する平歯車１５が属し、この外側歯部１６は、例えば同様に金具部分１２の圧印加工によって形成された内歯車１７の内側歯部１８に噛み合っている。外側歯部１６の外端歯先円の直径は、少なくとも１つの歯高さだけ、内側歯部１８の歯元円の直径より小さい。歯部１６及び１８は、少なくとも１つの歯数だけ相違した歯数を有し、内側歯部１８の歯数が、外側歯部１６の歯数より大きい。図示した配置は、内側歯部１８が外側歯部１６に沿って転がることができるように選定されている。
【００１１】
金具部分１２は、内側歯部１８に対して同心的に金具部分１２から突出したスリーブ状のカラー１９を有し、このカラー１９は、ブシュとして構成された連行体２０のための支持個所を形成している。なるべく合成物質から形成されたこの連行体２０は、ボス２１を含み、このボスは、金具部分１２のカラー１９内に回転可能に支持されており、ボス２１に、カラー１９を一部の範囲において包囲しかつボス２１に対して半径方向間隔を置いて配置された連行体アーム２２が結合されており、この連行体アームは、他方においてボス２１と同様に、継手金具１０の外側において、継手範囲を包囲するカバーディスク２３に移行している。連行体アーム２２の平面内においてカラー１９に、２つのくさびセグメント２４がその内面を支持され、これらくさびセグメントは、その外面を、平歯車１５を有する継手部分１１の同様に支持個所を形成するカラー２６内に固定された支持リング２５に支持されている。くさびセグメント２４の狭い側としての端面は、継手金具の係止位置において連行体アーム２２に対してわずかに離れているが、くさびセグメント２４の広い側としての端面は、力蓄積器として動作するリングばね２７のばね脚２８によって互いに広げられる方向に作用を受ける。これらのくさびセグメントは、継手部分１２のカラー１９と共に偏心区間１４を形成し、この偏心区間により内歯車１７の内側歯部１８は、偏心最高点の半径方向延長部において、金具部分１１の平歯車１５の歯部１６にはまった状態に保持されている。くさびセグメント２４の範囲において、ボス２１の両側でカバーディスク２３に隣接して、連行体２０にそれぞれ接触面２９が一体に形成され、これら接触面は、これら接触面２９に対して突出した連行体アーム２２につながっている。
【００１２】
連行体２０のボス２１は、その中心に、端から端まで延びかつ図２からわかるように円形断面とは異なる特殊断面の収容穴を有し、この穴へ対応した特殊断面の図示しない伝達棒が押込まれ、それにより座席の一方の側にある継手金具の回転運動を、座席の他方の側にある継手金具へ伝達することができる。
【００１３】
固定金具部分１１にある平歯車１５及び揺動可能な金具部分１２にある内歯車１７は、板部分の圧印加工によってそれぞれの金具部分から製造され、それぞれの金具部分１１又は１２の一方の側に、互いにかみ合う歯部１６又は１８が形成され、本実施例において固定金具部分１１の他方の側に、対向歯部３０が形成されている。
【００１４】
半径方向平面内において軸線方向にくさびセグメント２４と連行体２０のカバーディスク２３又はその前に配置されたリングばね２７との間に、係止リング３１があり、この係止リングは、その歯はまり個所に面した側に、歯はまり個所に対して同じ間隔を置いて配置された２つの係止突起３２を有し、これら係止突起は、係止リング３１の外周から突出しており、係止の場合に対向歯部３０の歯溝にはまっている。歯はまり個所とは反対の側において係止リング３１は、互いに間隔を置いて配置されかつその板面から突出した２つの支持突起３３を有し、これら支持突起は、操作部材１３として動作する連行体２０のストッパ３４によって遊びなくつかまれている。その上係止リング３１は、これに属するばね部材３５を有し、このばね部材は、図示した実施例では係止リング３１から側方に突出した２つの板ばね脚３６から形成され、これら板ばねの自由端は互いに向き合っており、かつ歯はまり個所の下において固定金具部分１１の支持個所を形成するカラー２６上に接触している（図４及び６）。板ばね脚３６によって係止リング３１は、図２及び４から明らかな対向歯部３０へのはまり位置に保持される。係止リング３１は、両方の係止フック３２の間において歯はまり個所に隣接する範囲に、くさびセグメント２４を互いに押し離すリングばね２７のばね脚２８を通す切り欠き３７を有する。これらの切り欠き３７は、鏡像的な窓として構成され、これらの窓の周方向に対して横向きに延びた境界壁３８及び３９は、半径方向に対して傾斜して延びている。係止フック３２の機能面は、境界壁３８、３９に対して平行になっており、それにより係止の場合に支持力が、くさびセグメントロック機構から接触面に対する垂線として歯車に導入されるようにしている。係止フック３２及び境界壁３８、３９の傾斜は、係止リング３１の係止方向への半径方向力成分を生じる。板ばね脚３６の結合個所の範囲において係止リング３１の内側から、支持突起４０が、くさびセグメント２４を越えて内方へ突出して、くさびセグメントをその軸線方向位置に確保する（図４）。
【００１５】
くさびセグメント２４は、その広い側４１に、各くさびセグメント２４の長手方向範囲に対して横向きの方向にそれぞれのばね脚２８を密に囲む切り欠き４２を有する。構成部分の軸線方向の結合のために、揺動可能な継手部分１２の押出されたディスク部分から突出したボス２１のリング区間が用いられ、このリング区間は、外側にリング溝を有し、このリング溝内に保持されるクランプリング４５は、カラー１９によって形成される支持個所の外側に支持されている。最後にこの解決策においても、調節及び固定装置を形成する構成部分は、連行体２０のカバーディスク２３にクランプされたリングディスク４６によって保護されており、このリングディスクは、リング片によって金具部分１１の外側に支持されている。
【００１６】
図２及び４からわかる係止位置において、係止フック３２は、固定金具部分１１にある平歯車１５の外側歯部１６の対向歯部３０の歯溝内にはまっており、かつ係止リング３１の板ばね脚３６によって形成されるばね部材３５によって、この係止位置に保持される。この係止位置において、背もたれに結合された金具部分１２から、カラー１９によって形成される支持個所を介して、偏心区間１４へトルクが作用すると、平歯車１５に対する内歯車１７の偏心支持のため、回転方向に応じて右又は左のくさびセグメント２４が、半径方向に対していくらか横向きに傾斜した力方向に負荷される。この力は、それぞれのばね脚２８を介して、係止リング３１の切り欠き３７の境界壁３８に伝達され、それにより対応する係止フック３２は、固定の金具部分１１の対向歯部３０の歯に支持される。それにより、振動によって背もたれ負荷が衝撃的に生じる際に、この背もたれ負荷が、負荷方向に負荷を常に繰返しながら推移するのを、効果的に防止される。この状況は、図４からもっともよくわかる。
【００１７】
背もたれ調節のために連行体２１に回転運動が導入されると、回転運動の導入によってすぐに、回転方向に応じて右又は左のストッパ３４が、対応する支持突起３３を介して係止ディスクを、板ばね脚３６の戻し力に抗して相応する回転方向に揺動し始め、係止リング３１が、歯はまり個所から離れる方向に引かれるので、係止フック３２が、図６から明らかなように、対向歯部３０から外されるようになる。係止リング３１のこの制御は、くさびセグメント２４の対応する狭い側と連行体アーム２２の端面との間の遊びをなくす運動の間に行なわれるので、対応するくさびセグメント２４に連行体アーム２２の端面が当たる瞬間に、すでに係止リング３１は、図６に示す位置を占める。図６からわかる状況は、時計方向に連行体２０を回転する際に生じ、図示した状況から初めて、左側におけるくさびセグメント２４の連行が始まり、この状況において、金具部分１２の操作運動も初めて行なわれ、係止リング３１は、図６からわかる釈放位置にすでに移行している。反時計方向の回転運動を導入した場合、この状態は、継手金具の図６に示した中央範囲の右側において生じる。
【００１８】
すでに述べたように、本発明の対象の図示しかつ前述した構成は、例として示されただけであり、これだけに限定されるものではない。それどころか本発明のなお種々の変形及び別の構成を考えることができる。明細書及び図面において明かなすべての特徴も、これらが請求の範囲に明確に請求されていないとしても、本発明にとって重要なものである。
【図面の簡単な説明】
【図１】  着座部分と背もたれの間に継手金具として配置すべき調節及び固定装置の実施例を示す展開斜視図である。
【図２】  まとめられた継手金具を示す図３の線ＩＩ−ＩＩに沿った断面図である。
【図３】  図２から明らかな継手金具を示す図２の線ＩＩＩ−ＩＩＩに沿った垂直断面図である。
【図４】  継手金具中央範囲を示す固定の金具部分の図であるが、その際、連行体が取り除かれており、かつ調節及び固定装置は係止位置の状態にある。
【図５】  継手金具から取出された連行体をボスが突出した側から見て示す図である。
【図６】  継手金具の中央範囲を図４と同様な表示で示す図であるが、その際、破線で示された連行体は、係止リングの外し制御のために操作されている。
【符号の説明】
１０  継手金具
１１  固定金具部分
１２  揺動可能な金具部分
２０  連行体
２４  くさびセグメント
２６  カラー
２７  リングばね
２８  ばね脚
３０  対向歯部
３１  係止リング
３２  係止フック
３３  支持突起
３４  ストッパ
３５  ばね部材
３６  板ばね脚
３７，４２  切り欠き
３８，３９  境界壁
４０  支持突起
４１  広い側
【図１】
0003765143.tif 000002
【図２】
0003765143.tif 000003
【図３】
0003765143.tif 000004
【図４】
0003765143.tif 000005
【図５】
0003765143.tif 000006
【図６】
0003765143.tif 000007